(57)【要約】【課題】肌に影響を与える因子や肌タイプ等の項目が多くても、これらに関する情報がコンパクトにまとめられており、顧客への訴求効果が高く、しかも使いやすい構成の販売促進用ツールを提供する。【解決手段】基台１から直立する棒状体２と、複数枚のシート体３をリング状綴じ具４によって綴じ合わせてなる冊子５とを備え、上記冊子５のリング状綴じ具４に、上記棒状体２が挿通され、上記冊子５の各頁となるシート体３が、棒状体２を中心として回動自在な状態で係止されるようになっている。そして、上記冊子５の各見開き面において、その片方の面には、見開き面ごとに異なる所定の化粧品推奨項目の見出しと、その説明表示部とが設けられており、その隣の他方の面には、その化粧品推奨項目に関連する問診表が表示されている。【選択図】図１
2007011017.tif 000002
【特許請求の範囲】
【請求項１】
化粧品の販売促進のために用いられる販売促進用ツールであって、基台と、この基台から直接、もしくは基台から延びるガイド部を介して垂直に支持される棒状体と、複数枚のシート体をリング状綴じ具によって綴じ合わせてなる冊子とを備え、上記冊子のリング状綴じ具に、上記棒状体が挿通され、上記冊子の各頁となるシート体が、棒状体を中心として回動自在な状態で係止されるようになっており、上記冊子の、互いに隣り合う２枚のシート体を左右に開いて得られる各見開き面において、その片方の面には、見開き面ごとに異なる所定の化粧品推奨項目の見出しと、その説明表示部とが設けられており、その隣の他方の面には、その化粧品推奨項目に関連する問診表が表示されていることを特徴とする販売促進用ツール。
【請求項２】
化粧品の販売促進のために用いられる販売促進用ツールであって、基台と、この基台から直接、もしくは基台から延びるガイド部を介して水平に支持される棒状体と、複数枚のシート体をリング状綴じ具によって綴じ合わせてなる冊子とを備え、上記冊子のリング状綴じ具に、上記棒状体が挿通され、上記冊子の各頁となるシート体が、棒状体を中心として回動自在な状態で吊り下げられるようになっており、上記冊子を吊り下げた状態における各シート体の手前側の面に、各面ごとに異なる所定の化粧品推奨項目の見出しと、その説明表示部と、その化粧品推奨項目に関連する問診表とが表示されていることを特徴とする販売促進用ツール。
【請求項３】
上記シート体が、２枚のシートを貼り合わせた２重構造になっており、問診表に設けられた問診の回答欄が、この面のシートに形成された切欠き窓と、この切欠き窓と裏面のシートとの間にスライド自在に嵌入され、その一端部がシート体側方に突出するスライド片とで構成されており、上記スライド片の突出部をシート体側方にさらに引き出すことにより、上記スライド片の、切欠き窓から外れる位置に表示された問診の回答が、上記切欠き窓内に位置決めされるようになっている請求項１または２に記載の販売促進用ツール。
【発明の詳細な説明】
【技術分野】
【０００１】
本発明は、化粧品販売店の店員等が顧客に対して肌のカウンセリングを行ったり化粧品の推奨を行ったりする際に用いられる販売促進用ツールに関するものである。
【背景技術】
【０００２】
従来から、化粧品販売では、専門の販売員やカウンセラーが、店頭あるいは訪問販売先で、顧客の肌の状態や要望を聞いたり、実際に顧客の肌に試供品を塗布したりしながら、その顧客に合った化粧品を選んで推奨したり、適切な肌の手入れ方法を指導したりするカウンセリングが行われている。
【０００３】
このようなカウンセリングを円滑に行うために、従来から、化粧品推奨に必要な情報や肌の手入れ方法、問診表等を見やすくまとめた販売促進用シートが用いられている（例えば特許文献１を参照）。
【特許文献１】特開２００３−３４０９２公報
【発明の開示】
【発明が解決しようとする課題】
【０００４】
このような販売促進用シートは、通常、Ａ４サイズやＢ４サイズの一枚の剛性シートの表裏両面もしくは片面に、必要な情報をまとめた構成になっている。
【０００５】
しかしながら、最近、肌に関する研究が進み、肌に影響を与える因子や肌タイプがより細分化され、それに応じて化粧品の種類や肌の手入れ方法に関する情報も豊富になってきている。このため、これらの情報を一枚のシートにまとめることができず、肌に影響を与える因子や肌タイプごとに情報をまとめたシートを複数枚用意し、それらのなかから必要なシートを順次選び出してカウンセリングを行ったり、化粧品の推奨を行ったりしているのが実情である。しかし、このように、店頭で複数枚のシートを使い分けることは手間がかかり、見栄えもよくないという問題がある。
【０００６】
本発明は、このような事情に鑑みなされたもので、肌に影響を与える因子や肌タイプ等の項目が多くても、これらに関する情報がコンパクトにまとめられており、顧客への訴求効果が高く、しかも使いやすい構成の販売促進用ツールの提供をその目的とする。
【課題を解決するための手段】
【０００７】
上記の目的を達成するため、本発明は、化粧品の販売促進のために用いられる販売促進用ツールであって、基台と、この基台から直接、もしくは基台から延びるガイド部を介して垂直に支持される棒状体と、複数枚のシート体をリング状綴じ具によって綴じ合わせてなる冊子とを備え、上記冊子のリング状綴じ具に、上記棒状体が挿通され、上記冊子の各頁となるシート体が、棒状体を中心として回動自在な状態で係止されるようになっており、上記冊子の、互いに隣り合う２枚のシート体を左右に開いて得られる各見開き面において、その片方の面には、見開き面ごとに異なる所定の化粧品推奨項目の見出しと、その説明表示部とが設けられており、その隣の他方の面には、その化粧品推奨項目に関連する問診表が表示されている販売促進用ツールを第１の要旨とする。
【０００８】
また、本発明は、化粧品の販売促進のために用いられる販売促進用ツールであって、基台と、この基台から直接、もしくは基台から延びるガイド部を介して水平に支持される棒状体と、複数枚のシート体をリング状綴じ具によって綴じ合わせてなる冊子とを備え、上記冊子のリング状綴じ具に、上記棒状体が挿通され、上記冊子の各頁となるシート体が、棒状体を中心として回動自在な状態で吊り下げられるようになっており、上記冊子を吊り下げた状態における各シート体の手前側の面に、各面ごとに異なる所定の化粧品推奨項目の見出しと、その説明表示部と、その化粧品推奨項目に関連する問診表とが表示されている販売促進用ツールを第２の要旨とする。
【０００９】
そして、本発明は、これらのなかでも、特に、上記シート体が、２枚のシートを貼り合わせた２重構造になっており、問診表に設けられた問診の回答欄が、この面のシートに形成された切欠き窓と、この切欠き窓と裏面のシートとの間にスライド自在に嵌入され、その一端部がシート体側方に突出するスライド片とで構成されており、上記スライド片の突出部をシート体側方にさらに引き出すことにより、上記スライド片の、切欠き窓から外れる位置に表示された問診の回答が、上記切欠き窓内に位置決めされるようになっている販売促進用ツールを第３の要旨とする。
【発明の効果】
【００１０】
すなわち、本発明の第１の要旨である販売促進用ツールは、基台に対し垂直に支持される棒状体に取り付けられた冊子を備え、上記冊子の各頁となるシート体が、棒状体を中心として回動自在な状態で係止されているため、左右２枚の頁からなる見開き面ごとに、所定の化粧品推奨項目に関する説明表示部と問診表を設けることにより、多数の化粧品推奨項目に関する情報を、１冊の冊子として、コンパクトにまとめることができる。そして、必要な推奨項目に関する見開き面を開いた状態で、店頭に設置しておくだけで、顧客への訴求効果が高く、必要な情報を、即座に顧客に提示することができる。そして、関連ある他の推奨項目を顧客に提示したいときは、冊子の、該当する見開き面を開くだけで、簡単に顧客に提示することができるため、使い勝手がよい。
【００１１】
また、本発明の第２の要旨である販売促進用ツールは、基台に対し水平に支持される棒状体に取り付けられた冊子を備え、上記冊子の各頁となるシート体が、棒状体を中心として回動自在な状態で吊り下げられているため、吊り下げられた各ページの手前側の面ごとに、所定の化粧品推奨項目に関する説明表示部と問診表を設けることにより、上記と同様の効果を得ることができる。
【００１２】
そして、本発明の第３の要旨である販売促進用ツールによれば、問診表の回答欄の構成が、スライド片の引き出し操作によって回答を示すことができる、特殊な構成になっているため、上記冊子を棒状体に挿通させたままの状態で簡単に回答することができるという利点を有する。そして、各シート体が、２枚のシートを貼り合わせた２重構造になっているため、強度が高く、店頭で繰り返し使用されても、シートが反ったり角が折れたりすることがなく、長期にわたって美麗な外観を維持することができるという利点を有する。
【発明を実施するための最良の形態】
【００１３】
つぎに、本発明を実施するための最良の形態について説明する。
【００１４】
図１は、本発明の一実施の形態である販売促進用ツールを示す斜視図であり、図２はその分解図である。このツールは、化粧品販売店等の店頭において、店員（美容カウンセラー等を含む）が顧客に対し、肌のカウンセリングや化粧品の推奨を行う際に用いられるもので、円板状の基台１と、上記基台１から直立する棒状体２と、６枚のシート体３をリング状綴じ具４によって綴じ合わせてなる冊子５とを備えている。なお、上記棒状体２は、図２に示すように、その下端部を、基台１の中央に設けられた穴６に嵌入することにより垂直に支受されており、上記穴６から下端部を抜くことにより、容易に基台１から外すことができるようになっている。
【００１５】
上記冊子５のリング状綴じ具４には、棒状体２が挿通されており、それによって、冊子５の各頁となるシート体３が、棒状体２を中心として回動自在な状態で係止されている。そして、上記棒状体２の上端部には、厚紙製の表裏面７ａ、７ｂの間に３枚の発泡スチロールシート７ｃを挟んで厚みをもたせた装飾体７が、その底部に設けられた穴８を、棒状体２の上端部に嵌合させることにより、着脱自在に取り付けられている。なお、上記装飾体７体の表裏面には、「肌は季節を、“後追い”しています。」というキャッチフレーズ９が表示されている。
【００１６】
なお、上記リング状綴じ具４は、図３に示すように、１本の針金を、細幅で折り返す部分４ａと太幅で折り返す部分４ｂを交互につくりながら連続的に巻くことによって形成されており、上記細幅部分４ａを、各シート体３の中心側に形成された綴じ穴１０に挿通することにより、６枚のシート体３が互いに綴じ合わされている。
【００１７】
この冊子５の、互いに隣り合う２枚のシート体３を左右に開くと、全部で６通りの見開き面をつくることができるようになっており、各見開き面が、１年を６つに分けた各季節ごとの化粧品推奨情報の表示に割り当てられている。
【００１８】
例えば、「６・７月」の季節に割り当てられた見開き面の構成を図５に示す。この見開き面のうち、左側の面１１の上部は、水色に着色されており、この部分に、「〔６・７月  洗顔＆美白〕」の見出し１２と、「本格的な夏の到来！」という、この６・７月の季節の様子を示すキャッチフレーズ１３と、「『洗顔＆美白』で、夏の透明肌づくり。」というサブキャッチフレーズ１３ａとが表示されている。
【００１９】
また、その下の左側には、「洗顔」の文字１４と「美白」の文字１５が、それぞれ縦長枠１６、１７で囲われた状態で上下に並べて表示されている。そして、上記「洗顔」の文字１４の右側には、「＜お手入れポイント＞」の小見出し１８とともに、この季節（６・７月）の洗顔で気をつけることを説明する文１９が表示されている。また、その下には、「＜おすすめアイテム＞」の小見出し２０とともに、この季節の洗顔に用いるのに適した化粧品の種類名２１が表示されている。一方、「美白」の文字１５の右側には、「＜お手入れポイント＞」の小見出し２２とともに、この季節（６・７月）の美白で気をつけることを説明する文２３が表示されている。また、その下には、「＜おすすめアイテム＞」の小見出し２４とともに、この季節の美白に用いるのに適した化粧品の種類名２５が表示されている。
【００２０】
一方、この見開き面の右側の面２６には、この時期の肌の状態を評価するための問診表２７が表示されている。問診表２７は、上下に並ぶ６つの設問（該当する状態を○×で回答する条件文や２者択一の選択肢を含む条件文等を含む）２８と、各設問２８の右側に設けられる回答欄２９とで構成されている。
【００２１】
上記回答欄２９は、図４（ａ）に示すように、この面２６に形成された切欠き窓３０と、この切欠き窓３０の内側にスライド自在に設けられるスライド片３１とで構成されており、その左側に表示された設問２８に該当する場合、上記スライド片３１の、シート体３から右側に突出した部分をさらに右側に引き出すことにより、スライド片３１に表示された「○」（場合によっては２者択一の回答となる文言）が、上記切欠き窓３０内に位置決めされるようになっている。
【００２２】
より詳しく説明すると、上記面２６を構成するシート体３は、図４（ａ）のＡ−Ａ′断面図である同図（ｂ）に示すように、面２６となるシート３２と、つぎの頁の面となるシート３３とが、厚みをもたせるためのスペーサー３４を介して、貼り合わされた２重構造になっている。そして、上記スペーサー３４によって形成された、２枚のシート３２、３３の間の帯状の隙間部において、上記スライド片３１が左右方向にスライドするようになっている。なお、上記隙間部と、スライド片３１のそれぞれに、係合用の段差３５、３６が設けられており、その係合によって、スライド片３１の抜け止めがなされるようになっている。
【００２３】
そして、上記見開き面の右側の面２６をめくって得られる、つぎの見開き面は、図６に示すような構成になっている。この見開き面のうち、左側の面４０の上部は、黄色に着色されており、この部分に、「〔８・９月  美白＆角質ケア〕」の見出し４１と、「夏ダメージを残さない！」という、この８・９月の季節の様子を示すキャッチフレーズ４２と、「『美白＆角質ケア』で、夏の肌疲れを解消。」というサブキャッチフレーズ４２ａとが表示されている。
【００２４】
また、その下の左側には、「美白」の文字４３と「角質ケア」の文字４４が、それぞれ縦長枠４５、４６で囲われた状態で上下に並べて表示されている。そして、上記「美白」の文字４３の右側には、「＜お手入れポイント＞」の小見出し４７とともに、この季節（８・９月）の美白で気をつけることを説明する文４８が表示されている。また、その下には、「＜おすすめアイテム＞」の小見出し４９とともに、この季節の美白に用いるのに適した化粧品の種類名５０が表示されている。一方、「角質ケア」の文字４４の右側には、「＜お手入れポイント＞」の小見出し５１とともに、この季節（８・９月）の角質ケアで気をつけることを説明する文５２が表示されている。また、その下には、「＜おすすめアイテム＞」の小見出し５３とともに、この季節の角質ケアに用いるのに適した化粧品の種類名５４が表示されている。
【００２５】
一方、この見開き面の右側の面５５には、この時期の肌の状態を評価するための問診表５６が表示されている。上記問診表５６の構成は、設問の内容が異なる以外は、前記の問診表２７（図５参照）と同様になっている。
【００２６】
以下、各見開き面ごとに、２カ月ごとに区切られた各季節ごとに気をつけるべきお手入れポイントと、肌の状態を評価するための問診表とがまとめられている。ちなみに、この冊子５の各見開き面における見出しとキャッチフレーズとサブキャッチフレーズは、下記の表１に示すとおりである。なお、見出し等が表示されている部分の地の色も、見開き面ごとに異なっているのであり、その色を、下記の表１に併せて示す。
【００２７】
【表１】
2007011017.tif 000003
【００２８】
上記構成の販売促進用ツールを用い、例えばつぎのようにして、顧客の肌カウンセリングを行うことができる。すなわち、まず、上記販売促進用ツールの冊子５を、その季節に該当する見開き面を開いた状態で、店頭に設置する（図１参照）。例えば、これから６・７月に向けての化粧品販売促進を展開していく場合、冊子５の、６・７月について表示された見開き面（図５参照）を開いてセットする。そして、店員は、来店した顧客に対し、肌が季節を後追いしていることを説明し、実際の季節よりも１〜２カ月前の季節の影響を肌が受けており、それに応じた手入れを行うことが重要であることを説明する。
【００２９】
そして、実際に、顧客の肌がどのような状態であるかを特定した上で、その肌に応じた手入れを行う必要があることを説明した後、上記見開き面の右側の問診表２７に回答することを勧め、問診表２７の、該当する設問２８の右側に突出するスライド片３１を右に引き出して、回答欄２９の切欠き窓３０内に、「○」を表示させる。なお、「紫外線を浴びると赤くなる？黒くなる？」の２者択一の設問２８ａに対しては、スライド片３１を引き出す長さによって、「赤くなる」の回答と「黒くなる」の回答を選択して表示させることができる。このようにして回答させた結果の一例を図７に示す。
【００３０】
そして、得られた問診結果から、その顧客の肌の状態を評価し、その肌の状態にあった手入れ方法および化粧品を推奨する。このとき、つぎの季節にはどうなるか、といった関連説明を、冊子５の頁をめくって、他の関連する見開き面を提示しながら行うことができる。
【００３１】
このように、上記販売促進用ツールによれば、左右２枚の頁からなる見開き面ごとに、２カ月ごとのお手入れポイントとおすすめアイテムに関する情報と、肌の状態を評価するための問診表２７、５６とが設けられた特殊な冊子５が、基台１に対し垂直に支持された棒状体２に取り付けられ、冊子５を構成する各シート体３が、棒状体２を中心として回動自在な状態で係止されているため、２カ月ごとにまとめられた６種類の情報を、コンパクトな形態で提示することができる。そして、そのなかの必要な情報を、冊子５の見開き面として、店頭で見やすく提示することができるため、顧客への訴求効果が高い。また、関連ある他の季節の情報を顧客に提示したいときは、冊子の、該当する見開き面を開くだけで、簡単に提示することができるため、使い勝手がよい。
【００３２】
なお、上記の例において、販売促進用ツールの冊子５を構成するシート体３の数は、６枚であるが、これは、１年を２カ月ごとに６つの季節に区切り、その６つの季節別に情報をまとめているからである。したがって、化粧品や手入れ方法を推奨するための情報項目に応じて、シート体３の枚数を適宜に設定することができる。例えば、顧客の年代別に化粧品の推奨等を行う場合には、１０代、２０代、……８０代、と年代別に８種類の情報区分が必要であることから、それに対応して、８枚のシート体３を綴じ合わせることが好適である。
【００３３】
そして、上記シート体３を綴じ合わせるリング状綴じ具４も、上記の例に限らず、各シート体３を、回動自在に綴じ合わせることができるものであれば、その形態は、特に限定するものではない。例えば、パンチによって上下２つの穴が開けられたシート体３を、上下２個の開閉機能付きリングで綴じる場合、その上下２個のリングは、本発明の「リング状綴じ具」に該当する。
【００３４】
また、上記の例における冊子５の各見開き面の構成も、特に限定するものではなく、所定の項目にかかる化粧品推奨情報（場合によっては手入れ方法推奨情報も含む）と、そのための問診表２７、５６とが、適宜の配置で表示されていれば差し支えない。そして、上記問診表２７、５６の回答欄２９の構成も、上記の例のように、スライド片３１をスライドさせて回答する構成にする必要はない。ただし、上記構成によれば、各シート体３が、２枚のシート３２、３３を貼り合わせた２重構造になっているため、強度が高く、店頭で繰り返し使用しても、シート体３が反ったり角が折れたりすることがなく、長期にわたって美麗な外観を維持することができるという利点を有する。
【００３５】
さらに、上記の例では、基台１から棒状体２を直立させているが、例えばテーブルや棚板等、店内の適宜の水平面、あるいは、店内に設置される各種の陳列ツールや宣伝ツール等の一部を利用して、棒状体２を垂直に支持するようにしてもよい。その場合は、その棒状体支持面を構成する部分が、本発明の「基台」に該当する。また、棒状体２を垂直に支持するために、何らかのガイド部を設けるようにしても差し支えない。
【００３６】
なお、上記の例では、棒状体２の上端部に、キャッチフレーズ９を表示した装飾体７を取り付けているが、上記装飾体７の取り付けは任意である。
【００３７】
また、本発明において、冊子５のリング状綴じ具４に挿通させる棒状体２を、例えば水平に支持し、冊子５の各頁となるシート体３を、棒状体２を中心として回動自在な状態で吊り下げるようにしてもよい。その一例を、図８に示す。
【００３８】
この例では、棒状体２の両端部を嵌入保持するための穴７０を有する左右一対のガイド壁７１が、基台１に所定間隔で立設されており、棒状体２は、その両端部を穴７０に嵌入した状態で水平に支持されている。そして、冊子５を構成する各シート体３が、前記の例より大きな寸法になっており、吊り下げられた各シート体３の手前側の面に、前記の例では左右の見開き面に表示されていた内容と同様の内容が、左右に並べて表示されている。それ以外の構成は、前記図１に示す販売促進用ツールと同様であり、同一部分に同一番号を付して、その説明を省略する。
【００３９】
この構成によれば、前記の例と同様、６種類の情報を、コンパクトな形態で提示することができる。そして、そのなかの必要な情報を、カレンダーのように、吊り下げられた一つの面として、店頭で見やすく提示することができるため、顧客への訴求効果が高い。また、関連ある他の季節の情報を顧客に提示したいときは、冊子の、該当する面を開くだけで、簡単に提示することができるため、使い勝手がよい。
【００４０】
なお、上記のように、棒状体２を左右一対のガイド壁７１で水平に支持するのではなく、１本の長い棒状体を、基台１から、逆Ｌ字状に延ばし、その水平部分を利用して、冊子５を吊り下げるようにしても差し支えない。また、天井面や、所定の棚板端面もしくは下面から、チェーンやワイヤ等で棒状体２を水平に支持するようにしても差し支えない。その場合、天井面等の、チェーンやワイヤ等の吊り下げ面を構成する部分が、本発明の「基台」に該当する。
【図面の簡単な説明】
【００４１】
【図１】本発明の一実施例である販売促進ツールを示す斜視図である。
【図２】上記実施例を分解した状態を示す説明図である。
【図３】上記実施例に用いるリング状綴じ具の説明図である。
【図４】（ａ）は上記実施例に設けられた問診表の回答欄の説明図、（ｂ）は（ａ）のＡ−Ａ′断面図である。
【図５】上記実施例の見開き面の説明図である。
【図６】上記実施例の他の見開き面の説明図である。
【図７】上記の実施例の使用態様の説明図である。
【図８】本発明の他の実施例を示す正面図である。
【符号の説明】
【００４２】
１  基台
２  棒状体
３  シート体
４  リング状綴じ具
５  冊子
【図１】
2007011017.tif 000004
【図２】
2007011017.tif 000005
【図３】
2007011017.tif 000006
【図４】
2007011017.tif 000007
【図５】
2007011017.tif 000008
【図６】
2007011017.tif 000009
【図７】
2007011017.tif 000010
【図８】
2007011017.tif 000011
【手続補正書】
【提出日】平成17年7月11日(2005.7.11)
【手続補正１】
【補正対象書類名】図面
【補正対象項目名】全図
【補正方法】変更
【補正の内容】
【図１】
2007011017.tif 000012
【図２】
2007011017.tif 000013
【図３】
2007011017.tif 000014
【図４】
2007011017.tif 000015
【図５】
2007011017.tif 000016
【図６】
2007011017.tif 000017
【図７】
2007011017.tif 000018
【図８】
2007011017.tif 000019